(57)【要約】      （修正有）【課題】鈴の音が十分な響きを発し、かつデザイン性に富んだキャラクター鈴を提供する。【解決手段】携帯機器のストラップや根付け、キーホルダー等に取り付けるキャラクター鈴であり、鈴とカバー部材からなる。鈴は金属製とし、かつアニメーションのキャラクター等の頭部を形成する。そして良い音色を響かせるために鈴の外周囲に空間を保ちながら接合するカバー部材はポリストーン樹脂等の合成樹脂で作る。【選択図】図１
0003187281.tif 000002
【実用新案登録請求の範囲】
【請求項１】
アニメーションのキャラクター等の頭部を形成した金属製鈴と、該鈴の外周囲との間に空間を保ちながら接合部において接合する合成樹脂製のカバー部材とで構成される鈴であって、携帯機器等のストラップや根付け、キーホルダー等に対して取り付けて、前記空間の存在により鈴から発せられる音の響きが抑制されない事を特徴とする鈴。
【請求項２】
鈴の外周囲のカバー部材は合成樹脂としてポリストーンを使用して作るが、全体を一体で成形したものか、又は毛髪形状部等を別途成形して接着するものである請求項１に記載の鈴。
【請求項３】
鈴の外周囲のカバー部材は合成樹脂としてポリ塩化ビニル樹脂か、又はクエン酸アセチルトリブチルを可塑剤に使用したポリ塩化ビニル樹脂を使用して射出成形で作るものである請求項１に記載の鈴。
【考案の詳細な説明】
【技術分野】
【０００１】本考案のキャラクター鈴はアニメーションのキャラクター等の頭部を形成して表現し、この外周囲はポリストーン等の合成樹脂で毛髪形状のカバー部材を形成した鈴に関する。
【背景技術】
【０００２】従来、鈴の音が抑制されずに十分な響きを発して、かつキャラクター鈴のようなデザイン性に富んだ楽しい物品は市場に皆無であった。
【先行技術文献】
【０００３】
【特許文献１】特開平１０年第１２７３２２号公報
【特許文献２】実用新案登録第３１３３５３７号公報
【特許文献３】特開２００７年第１７１８８６号公報
【特許文献４】特開２００８年第９１２３号公報
【特許文献５】特許第４４１５３５０号公報
【考案の概要】
【考案が解決しようとする課題】
【０００４】しかしながら、特許文献１はケージを網目形態で作成するので、デザイン性に欠ける部分が大きく、キャラクターを採用する事は無理である。【０００５】また特許文献２は熊避け用の鐘であって鈴を使用するものではない。また本体が円錐形態なので、やはりデザイン性に欠ける部分が大きく、キャラクターを採用するような物品ではない。何より金属部品同士の衝突による鐘の音の大きさが求められるものである。【０００６】更に特許文献３と４は棒状の持ち手と、接続する金属製の呼び鈴本体がしっかりと固定され、それらを空孔部を持って包む保護カバーを樹脂製とするものが説明されている、卓上呼び鈴やドア取り付け用呼び鈴や飼育動物用ベルに関する発明である。その点は良いが、そもそも商品の構成・形態が本考案の鈴とは全く異なるし、使用の用途も全く異なる物品である。特許文献４は３に対して仏鈴を追加した文献である。【０００７】更に特許文献５はキャラクター頭部のデザインを採用する事も出来るが、その下方に設けたネジ部で鈴本体にねじ込んで固定して振り子を鳴らす状態になる。ねじを緩めれば振り子が動かなくなって成らせない状態にも変化する。いずれにしても本考案の鈴とは全く構成もデザインも更に用途も異なる熊よけ鈴である。何より本考案と全く異なるのは特許文献３と４であった接触物による振動の減衰を少なくする事が無いことである。以上の状況から、キャラクターのデザインを十分に楽しむ事が出来て、なおかつ鈴の振動による音の発生を止めるような事のない鈴の考案の要望が従来から大きかった。【０００８】本考案のキャラクター鈴は以上のような従来の問題点を解決するために創案されたもので、次の目的を達成する。
【課題を解決するための手段】
【０００９】  本考案のキャラクター鈴は前記目的を達成するために次の手段をとる。鈴については金属製として、かつアニメーションのキャラクター等の頭部を形成する。そして該鈴の外周囲を鈴との間に空間を保ちながら接合する毛髪形状のカバー部材はポリストーン樹脂等の合成樹脂で作る構成とした。【００１０】ポリストーン製法の場合は、不飽和ポリエステル樹脂を使用して鈴を囲む毛髪形状のカバー部材を一体で成形するか、又は毛髪形状部を別途成形してカバー部材に接着する製法で作る。又、射出成形で作る場合はポリ塩化ビニル樹脂か、クエン酸アセチルトリブチルを可塑剤に使用したポリ塩化ビニル樹脂、いわゆるＡＴＢＣを使用して作るが、毛髪部は別途成形してカバー部材に接着する。
【考案の効果】
【００１１】  以上説明したように、本考案のキャラクター鈴は金属製で、かつアニメーションのキャラクター等の頭部を形成する。そして該鈴の周囲を鈴との間に空間を保ちながらカバー部材を接合する事で、該空間が存在するために鈴が発する音が抑制されずに本来の音色を響かせる事が出来る。用途については携帯機器等のストラップや根付け、キーホルダー等に取り付けて楽しむ事が出来る。
【図面の簡単な説明】
【００１２】
【図１】図１は本考案のキャラクター鈴を正面から見た図である。
【図２】図２は本考案のキャラクター鈴部分を鈴に描いた顔の前後方向の中心で縦方向垂直に切断した部分断面図である。
【図３】図３は、本考案のキャラクター鈴を吊り下げる根付けの紐部分の正面図である。
【図４】図４は、本考案のキャラクター鈴に用いる根付けの紐部分にキャラクター鈴を留めるマルカン留め具の正面図である。
【図５】図５は、本考案のキャラクター鈴部分の外周囲を形成する背後カバー部材の正面図である。
【図６】図６は、本考案のキャラクター鈴部分の外周囲を形成する前面カバー部材の正面図である。
【図７】図７は、本考案のキャラクター鈴部分の外周囲を形成するカバー部材の一部である左右１対の毛髪形状部材の正面図である。
【図８】図８は、本考案のキャラクター鈴の正面図である。
【考案を実施するための形態】
【００１３】  本考案のキャラクター鈴であるが、鈴は金属製として、かつアニメーションのキャラクター等の頭部を形成する。そして該鈴の周囲を鈴との間に空間を保ちながらカバー部材を接合する事で、該空間が存在するために鈴が発する音が抑制されずに本来の音色を響くようにする。
【実施例】
【００１４】  以下、添付図面に従って一実施例を説明する。図１は、本考案のキャラクター鈴を正面から見た図である。図２は本考案のキャラクター鈴部分を鈴に描いた顔の前後方向の中心で縦垂直方向に切断した部分断面図である。キャラクター鈴の接合部の説明であるが、図では背後カバー部材１ｂの鈴吊り下げピン１ｂ１にカバー部取り付け穴１ａ１を通し、その上で前面カバー部材１ｃを閉じる事で、キャラクター鈴１ａが前面、背後の両方のカバー部材に取り付けられ、本考案のキャラクター鈴部分が完成する。なお、鈴の取り付け方法については、この他にキャラクター鈴の取り付け部を背後カバー部材の接合部に対して、合成樹脂の特性である柔軟性と反発性により、嵌合させて確実に留める方法もある。図３は本考案のキャラクター鈴を吊り下げる根付けの紐部分の正面図である。図４は本考案のキャラクター鈴に用いる根付けの紐部分とキャラクター鈴とを留めるマルカン留め具の正面図である。図５は本考案のキャラクター鈴部分の外周囲を形成する背後カバー部材の正面図である。図６は本考案のキャラクター鈴部分の外周囲を形成する前面カバー部材の正面図である。図７は本考案のキャラクター鈴部分の外周囲を形成するカバー部材の一部である左右１対の毛髪形状部材の正面図である。図８は本考案のキャラクター鈴の正面図である。【００１５】  以上、本考案のキャラクター鈴の実施の形態を説明したが、本考案はこの実施の形態に限定されることはない。本考案の目的、趣旨を逸脱しない範囲内での変更が可能なことは言うまでもない。
【符号の説明】
【００１６】１…キャラクター鈴部分
１ａ…キャラクター鈴
１ａ１…カバー部取り付け穴
１ｂ…背後カバー部材
１ｂ１…鈴吊り下げピン
１ｂ２…マルカン留め具取り付け穴
１ｃ…前面カバー部材
１ｄ、１ｄ’…１対の毛髪形状部材
２…根付け
２ａ…引っ掛け紐
２ｂ…本体紐部
２ｃ…マルカン留め具結合のための留め具
３…マルカン留め具
【図１】
0003187281.tif 000003
【図２】
0003187281.tif 000004
【図３】
0003187281.tif 000005
【図４】
0003187281.tif 000006
【図５】
0003187281.tif 000007
【図６】
0003187281.tif 000008
【図７】
0003187281.tif 000009
【図８】
0003187281.tif 000010